(57)【特許請求の範囲】
【請求項１】
調理器本体の適所に操作パネルを配置し、この操作パネルに静電容量の変化により入力操作を検出する複数のタッチキーを配置したものにおいて、上記操作パネルを半透明な材料で形成すると共に、操作パネルの裏面に上記タッチキーを印刷し、かつ上記操作パネルの裏面に照明ランプを配置して、この照明ランプの消灯時には前面より上記タッチキーが見えない構成とし、上記照明ランプの点滅を制御する制御手段を設け、この制御手段を、上記何れかのタッチキーが操作されると照明ランプを点灯する様に構成し、調理を行わない待機時には上記タッチキーの検出感度を上げる様に構成した事を特徴とする加熱調理器。
【請求項２】
上記照明ランプを１つのタッチキー、或いは複数のタッチキー毎に配置すると共に、上記照明ランプの消灯時にタッチキーの操作により照明ランプを点灯後は、操作が必要なタッチキーの照明ランプのみ点灯する様に、上記制御手段を構成した事を特徴とする、上記請求項１に記載の加熱調理器。
【請求項３】
上記操作パネルを電動機構により上下方向に傾動可能に構成すると共に、非調理時には操作パネルを垂直状態に維持し、上記何れかのタッチキーが操作されると、上記電動機構により傾動する事を特徴とする、上記請求項１又は２に記載の加熱調理器。
【発明の詳細な説明】
【技術分野】
【０００１】
本発明は、オーブンレンジや電子レンジ等の様に、調理時間等の調理条件を入力する操作パネルを備えた加熱調理器に関する。
【背景技術】
【０００２】
被調理物を収納して加熱する調理室の前面に扉を備え、かつこの扉に隣接して操作パネルを配置し、この操作パネルに複数の操作キーを配置した加熱調理器では、機能を増やすと操作キーの数が増加し、その操作手順が分り難いという問題がある。
【０００３】
そこで、例えば特許文献１に示される様に、操作パネルに配置した操作スイッチに液晶シャッターを設け、操作に応じて設定するキーを表示する様に構成したものがある。
【特許文献１】特開平９−３５８６３号公報
【発明の開示】
【発明が解決しようとする課題】
【０００４】
一方、上記特許文献１に記載の構成では、キー毎に液晶シャッターを設ける必要があり、操作キーの構造が複雑に成ると共に、具体的な構成について記載されていないが、各キーの入力操作を検出する検出手段が必要となり、操作キーのトータルコストが高価になるという問題がある。
【０００５】
そこで本発明は、操作パネルのデザイン性を向上させながら、入力操作時の操作性を向上する事を目的とする。
【課題を解決するための手段】
【０００６】
本発明の請求項１の構成は、調理器本体の適所に操作パネルを配置し、この操作パネルに静電容量の変化により入力操作を検出する複数のタッチキーを配置したものにおいて、上記操作パネルを半透明な材料で形成すると共に、操作パネルの裏面に上記タッチキーを印刷し、かつ上記操作パネルの裏面に照明ランプを配置して、この照明ランプの消灯時には前面より上記タッチキーが見えない構成とし、上記照明ランプの点滅を制御する制御手段を設け、この制御手段を、上記何れかのタッチキーが操作されると照明ランプを点灯する様に構成し、調理を行わない待機時には上記タッチキーの検出感度を上げる様に構成した事を特徴とする。
【０００７】
本発明の請求項２の構成は、請求項１の構成において、照明ランプを１つのタッチキー、或いは複数のタッチキー毎に配置すると共に、照明ランプの消灯時にタッチキーの操作により照明ランプを点灯後は操作が必要なタッチキーの照明ランプのみ点灯する様に制御手段を構成して成るものである。
【０００９】
本発明の請求項３の構成は、請求項１又は２の構成において、操作パネルを電動機構により上下方向に傾動可能に構成すると共に、非調理時には操作パネルを垂直状態に維持し、何れかのタッチキーが操作されると電動機構により傾動する様に構成して成るものである。
【発明の効果】
【００１０】
本発明の請求項１に記載の構成により、操作パネルに静電容量の変化により入力操作を検出するタッチキーを配置したものにおいて、操作パネルの裏面にタッチキーを印刷すると共に照明ランプを配置し、照明ランプの消灯時にはタッチキーが見えない構成とし、何れかのタッチキーが操作されると照明ランプを点灯する様に構成したことで、調理器を使用しない所謂待機時には操作部には何も表示せず、かつ操作パネルの表面を凹凸のないフラット面で構成することで、デザイン性を向上する事が出来るものである。又、待機時にはタッチキーの感度を上げることで、操作パネルに軽く触れることで通常の操作状態に移行することができ、待機時の操作性を向上する事が出来ると共に、操作状態になるとタッチキーの感度を通常に設定することで、誤動作を防止する事が出来るものである。
【００１１】
本発明の請求項２に記載の構成により、照明ランプをタッチキー毎、或いは複数のタッチキー毎に配置し、操作が必要なタッチキーの照明ランプのみ点灯することで、操作時に操作が必要なタッチキーのみ表示し、操作性を向上する事が出来るものである。
【００１３】
本発明の請求項３に記載の構成により、操作パネルを電動機構により傾斜する様に構成し、操作時には操作パネルを傾斜させることで、タッチキーの操作性を向上する事が出来るものである。
【発明を実施するための最良の形態】
【００１４】
本発明による実施例を先ず図１に基づき説明すると、１は例えばシステムキッチン等に組み込んで使用する床置型の調理器本体で、調理室２の前面に扉３を上下方向に開閉自在に枢支していると共に、この扉の横に隣接して操作パネル４を配置している。
【００１５】
上記操作パネル４は、その高さ寸法を扉３の高さ寸法よりも短く構成して、その下方に固定板５を配置し、この固定板と操作パネル４の高さを扉３の高さと同じに構成していると共に、操作パネル４は、図２にて示す様にその上端部を回転軸６により回転自在に枢支し、その底面を底板７により閉塞し、かつこの底板の底面にラックギヤ８を装着している。
【００１６】
又、上記操作パネル４は、その外郭を構成するパネルケース９をアルミニウムやステンレス、導電材料を混入した樹脂等の導電性部材にて構成していると共に、上記ラックギヤ８の下方には、固定板５の後方に位置してラックギヤ８に噛合するピニオンギヤ１０と、このピニオンギヤを回転駆動するギヤードモータ１１を配置し、これらにて電動機構１２を構成している。
【００１７】
図３は上記操作パネル４の実施例を示すもので、上部に液晶パネルや蛍光表示管等で構成した表示器２０を配置していると共に、この表示器の下方に操作部２１を設けている。
【００１８】
そして上記表示器２０には、自動調理用の複数の自動メニュー２２・・と、手動操作用の手動メニュー２３・・と、温度や出力を表示する設定表示部２４と、時間やタイマーを表示するタイマー部２５等を配置している。
【００１９】
又上記操作パネル４は、非通電時には黒色等のスモークにより何も表示しない、半透明に着色した樹脂パネルや裏面に着色したガラス板等で構成していると共に、これらの裏面に操作位置を示す複数のタッチキー２６・・を印刷している。これにより、調理器本体１を使用しない場合には、図１にて示す様に、上記操作パネル４の全面に何も表示しない様に構成している。
【００２０】
尚、上記表示器２０の表示については、節電機能により、待機電力を低減させる場合には消灯して何も表示しない様に構成し、時計表示を行なう場合には、上記タイマー部２５に時計表示を行なう様に構成しても良い。
【００２１】
一方、上記タッチキー２６・・は、同時に表示させる操作キーを横並びに配置する様に構成しており、例えば実施例の場合には、キーロックを設定するロックキー２７と、音声の音量を設定する音声キー２８と、操作パネル４を傾斜或いは垂直に戻す操作パネルキー２９とを横並びに配置し、これらのキーの下方に自動調理メニューを選択設定する自動調理キー３０と、手動調理メニューを選択設定する手動調理キー３１と、調理の仕上がり状態を強めや弱めに設定する仕上がりキー３２とを横並びに配置し、かつこれらのキーの下方に調理温度を設定する温度キー３３，３４を横並びに配置し、更にこれらのキーの下方に時間やタイマー時間を設定する３個の時間キー３５，３６，３７を横並びに配置し、これら時間キーの下方にスタートキー３８と取消しキー３９を配置している。
【００２２】
そして上記各キーの裏側には、図４にて示す様に、ロックキー２７と音声キー２８と操作パネルキー２９を同時に表示する第１導光板４０を配置し、自動調理キー３０と手動調理キー３１と仕上がりキー３２の裏側には、各々これらを個別に表示する第２，第３，第４導光板４１，４２，４３を配置し、温度キー３３，３４の裏側にはこれらを同時に表示する第５導光板４４を配置し、時間キー３５，３６，３７の裏側にはこれらを同時に表示する第６導光板４５を配置し、スタートキー３８と取消しキー３９の裏側にはこれらを個別に表示する第７，第８導光板４６，４７を配置している。
【００２３】
又、上記各導光板は略Ｌ字型或いは門型に形成し、これらの屈曲した下端面に対向して、照明ランプである複数の色を発光するＬＥＤランプ４８・・を配置している。
【００２４】
尚、４９は各タッチキー２６・・の入力操作を検出する操作基板で、例えばＵＳＰ５，７３０，１６５、ＵＳＰ６，４５２，５１４、ＵＳＰ６，４６６，０３６に記載の静電容量方式により行い、上記操作部４の各タッチキー２６・・の印刷範囲への指の近接や接触による入力操作を検出する様に構成している。
【００２５】
即ち、上記操作基板４９上には、各タッチキー２６・・に対向して電極５０・・をパターン印刷等により配置し、これら電極への指の接近による静電容量の変化により入力操作を検出するものである。
【００２６】
図５は制御手段を構成する制御回路６０の実施例を示すもので、商用の交流電源６１に電源回路６２を接続し、この電源回路の出力にマイクロコンピュータにて構成したメイン制御部６３を接続していると共に、電源回路６２の出力に扉３の開閉に応じて接点を開閉するドアスイッチ６４を接続し、このドアスイッチの出力を上記メイン制御部６３の入力ポートに接続している。
【００２７】
又、上記メイン制御部６３の出力ポートには、調理室２内を照明する庫内灯６５を点滅駆動する庫内灯駆動回路６６と、調理室２内を加熱する熱源となるガスバーナ６７への燃料供給を制御する電磁弁６８を駆動する電磁弁駆動回路６９と、調理室２内に上記熱源の熱気を循環する循環ファン７０を駆動する循環ファン駆動回路７１と、調理室２内に他の熱源となる高周波電波を供給するマグネトロン７２を駆動するマグネトロン駆動回路７３と、上記ガスバーナ６７点火用の点火回路７４と、上記操作パネル４を電動により斜めに傾動するギヤードモータ１１を駆動するモータ駆動回路７５と、上記表示器２０を駆動する表示回路７６を接続し、同じく入力ポートには、上記操作基板４９に配置した電極５０・・による各タッチキー２６・・の入力を検出するキー入力回路７８の出力と、上記調理室２内の温度をサーミスタ７９の出力により検出する庫内温度検出回路８０の出力とを接続し、同じく入出力ポートには、ガスバーナ６７の点火を検出する炎検出回路８１と、データ記憶用のメモリ８２を接続している。
【００２８】
更に上記メイン制御部６４は、扉３が開くとこれをドアスイッチ６４の出力にて検出してモータ駆動回路７５を作動し、その出力にてギヤードモータ１１を作動して操作パネル４を図２中に破線にて示す様に傾斜させ、操作部２１に配置した各タッチキー２６・・の操作を行ない易く構成している。
【００２９】
一方、上記メイン制御部６４は、調理器を使用していない所謂待機時には、各タッチキー２６・・の入力感度を上げる様に構成し、これにより、操作部２１の操作を開始する場合には、操作パネル４の電極５０・・に対向した部分に指等を接近させるか、操作パネル４に軽く触れる程度でこれを検出し、ギヤードモータ１１を作動して操作パネル４を上記の様に傾斜させた後、例えば図６の（ａ）にて示す様に、最初に選択操作を行なう自動調理キー３０と手動調理キー３１、取消しキー３９を例えば白色で表示し、補助的に入力操作を行なうロックキー２７や音声キー２８、操作パネルキー２９を青色で表示する様に構成している。
【００３０】
これらの構成により、待機時における操作パネル４のデザイン性を向上できると共に、操作性を向上する事が出来るものである。
【００３１】
そして上記メイン制御部６４は、上記待機状態が終了すると各タッチキー２６・・の感度を下げ、指等が確実にタッチキー２６・・に接触して操作されなければ入力操作を受付けないように構成しており、これにより誤操作を防止する様に構成している。
【００３２】
又、上記メイン制御部６４は、例えば自動調理キー３０がオン操作されて自動調理が選択されると、図６の（ｂ）にて示す様に選択された自動調理キー３０は白色のまま継続して点灯すると共に、表示器２０に自動メニュー２２・・を表示し、自動調理キー３０のオン操作により自動調理メニューを選択する様に構成し、かつ手動調理キー３１と仕上がりキー３２を例えば紫色に変更して、修正入力が行なえる様に表示し、次に入力操作を行なうスタートキー３８と取消しキー３９を白色に発光し、次に操作を行なうキーを明確に表示する。
【００３３】
そして、自動調理メニューが確定すると、スタートキー３８をオン操作することで、同じく（ｃ）にて示す様にスタートキー３８を例えばオレンジ色に変更して調理中を表示すると共に、自動調理キー３０をそのまま白色で表示して自動調理が実行されている旨を表示し、かつ操作が不要となった手動調理キー３１と仕上がりキー３２を消灯する。
【００３４】
これらの構成により、入力操作状況に応じて、入力が可能な操作キーのみ表示させると共に、次に操作を行なうキーを発光色を変えて表示することで、操作を行なうキーの選択が容易となり、操作性を向上させる事が出来るものである。
【００３５】
又、上記メイン制御部６４は、スタートキー３８がオン操作されて調理が開始されると、このスタートキーのオン操作後所定時間（例えば２秒）経過するとギヤードモータ１１を反転させ、操作パネル４を垂直状態に戻す様に構成している。これにより、調理中には操作パネル４を垂直状態に戻し、操作パネルへの人体や運搬物の接触による、人体や操作パネル４の損傷を防止するものである。
【００３６】
一方、調理が終了して扉３が開かれると、ドアスイッチ６４の出力によりこれを検出してモータ駆動回路７５にてギヤードモータ１１を作動し、操作パネル４を傾斜させることで、次の入力操作が行ない易くなる様に構成している。
【００３７】
そして上記扉３を開いて被調理物が取り出された後扉３が閉じられると、これをドアスイッチ６４の出力にて検出し、上記と同様に所定時間経過後に操作パネル４を垂直状態に戻す。尚、何らかの理由により、上記扉３を開いた状態で操作パネル４を垂直状態に戻したい場合には、操作パネルキー２９の操作により、簡単に戻す事が出来る。
【００３８】
更に上記メイン制御部６３は、操作パネル４を傾斜させた状態で、所定時間（例えば１分）経過しても操作部２１に配置した各タッチキーからの入力操作が無い場合には、モータ駆動回路７５にてギヤードモータ１１を作動して操作パネル４を垂直状態に戻す様に構成している。
【図面の簡単な説明】
【００３９】
【図１】本発明の実施例を示す正面図である。
【図２】同じく要部の側面縦断面図である。
【図３】同じく操作パネルの正面図である。
【図４】同じく要部の正面図（ａ）と斜視図（ｂ）である。
【図５】同じく制御回路のブロック図である。
【図６】同じく操作手順を示す操作パネルの正面図である。
【符号の説明】
【００４０】
１    調理器本体
４    操作パネル
１２  電動機構
２６  タッチキー
４８  ＬＥＤランプ（照明ランプ）
６０  制御回路（制御手段）
【図１】
0004646841.tif 000002
【図２】
0004646841.tif 000003
【図３】
0004646841.tif 000004
【図４】
0004646841.tif 000005
【図５】
0004646841.tif 000006
【図６】
0004646841.tif 000007